(57)【要約】【課題】車載インバータのスイッチング素子の温度を感知する感温ダイオードＤＳの出力信号をフォトカプラＰＣを介して低圧システムに出力するものにあって、フォトカプラＰＣの寿命を好適に延ばすことが困難なこと。【解決手段】感温ダイオードＤＳの出力電圧は、スイッチング素子３９のオン状態時において、コンデンサ３６に印加される。これにより、スイッチング素子３４，３３がオンとなり、フォトカプラＰＣがオンとなることで、コンデンサ４５が充電される。スイッチング素子３９がオフとなると、コンデンサ３６の放電電流の漸減に伴い、フォトダイオードｐｄを流れる電流が漸減し、やがてフォトカプラＰＣがオフとなる。フォトカプラＰＣがオンとなることによるコンデンサ４５の充電電圧を、感温ダイオードＤＳの出力信号とする。【選択図】      図２
2009048433.tif 000002
【特許請求の範囲】
【請求項１】
高圧システム及び低圧システムのいずれか一方のシステムに備えられて且つ所定の物理量を感知する物理量感知手段の出力信号を、フォトカプラを介して他方のシステムに出力する信号伝播装置において、
前記物理量感知手段の出力信号に応じて、前記フォトカプラのフォトダイオードに電流を流すことで前記フォトカプラをオン状態とした後、その電流量を漸減させつつ前記フォトカプラをオフ状態へと移行させるフォトカプラ駆動手段を備えることを特徴とする信号伝播装置。
【請求項２】
前記フォトカプラ駆動手段は、キャパシタと、前記物理量感知手段の出力端子及び前記キャパシタ間の導通及び遮断を制御する導通制御手段と、前記キャパシタからの放電電流に応じて前記フォトダイオードを流れる電流量を調節する電流量調節手段とを備えることを特徴とする請求項１記載の信号伝播装置。
【請求項３】
前記電流量調節手段は、電流制御型のスイッチング素子を備えて構成されてなることを特徴とする請求項２記載の信号伝播装置。
【請求項４】
前記電流量調節手段は、前記キャパシタからの放電電流をベース電流とするバイポーラトランジスタを備えて構成されてなることを特徴とする請求項２又は３記載の信号伝播装置。
【請求項５】
前記電流量調節手段は、前記キャパシタにベース端子が接続されて且つエミッタ端子が接地される第１のバイポーラトランジスタと、該第１のバイポーラトランジスタの入力端子がベースと接続された第２のバイポーラトランジスタとを備え、
前記第２のバイポーラトランジスタは、その入出力端子を介して電源と前記フォトダイオードとを接続するものであることを特徴とする請求項２〜４のいずれか１項に記載の信号伝播装置。
【請求項６】
前記キャパシタ及び前記フォトカプラ間には、前記キャパシタに並列に、抵抗体が接続されてなることを特徴とする請求項１〜５のいずれか１項に記載の信号伝播装置。
【請求項７】
前記他方のシステムには、前記物理量感知手段の出力信号を電圧として取得するキャパシタと、該キャパシタ及び電源間を接続する電流制御型のスイッチング素子とが設けられており、
前記フォトカプラのフォトトランジスタの入出力端子を介して、前記他方のシステムのスイッチング素子の導通制御端子が接地されてなることを特徴とする請求項１〜６のいずれか１項に記載の信号伝播装置。
【請求項８】
前記他方のシステムのキャパシタを、アナログ／ディジタル変換手段及び放電用抵抗体のいずれと接続するかを切り替える切替手段を更に備えることを特徴とする請求項７記載の信号伝播装置。
【請求項９】
前記高圧システムは、車載回転機と接続される電力変換回路を備えて構成されており、
前記物理量感知手段は、前記電力変換回路の備えるスイッチング素子近傍の温度を感知する手段であることを特徴とする請求項１〜８のいずれか１項に記載の信号伝播装置。
【発明の詳細な説明】
【技術分野】
【０００１】
本発明は、高圧システム及び低圧システムのいずれか一方のシステムに備えられて且つ所定の物理量を感知する物理量感知手段の出力信号を、フォトカプラを介して他方のシステムに出力する信号伝播装置に関する。
【背景技術】
【０００２】
図４（ａ）に、従来の信号伝播装置の構成例を示す。図示されるように、感温ダイオード１００の出力信号は、ＶＦ変換部１０２にて、図４（ｂ）に示すように周波数信号に変換される。そして、ＶＦ変換部１０２から出力される周波数信号は、フォトカプラ１０４を介してＦＶ変換部１０６に取り込まれる。ＦＶ変換部１０６では、フォトカプラ１０４から出力される周波数信号を、電圧信号に変換する。そして、ＦＶ変換部１０６から出力される電圧信号は、Ａ／Ｄ変換部１０８によって、ディジタル信号に変換される。これにより、感温ダイオード１００の出力するアナログ信号を、Ａ／Ｄ変換部１０８にてディジタル信号として取り出すことができる。
【０００３】
なお、従来の信号伝播装置としては、これ以外にも、例えば下記特許文献１に見られるものがある。
【特許文献１】特開２００６−６４４５６号公報
【発明の開示】
【発明が解決しようとする課題】
【０００４】
ところで、フォトカプラの寿命は、１次側（フォトダイオード側）に流す電流値に依存することが知られている。詳しくは、フォトカプラを流れる電流が多いほど、フォトカプラの寿命は短くなる。一方、先の図４に示した装置では、ＶＦ変換部１０２の出力する周波数信号が論理「Ｈ」となる期間、フォトダイオードを一定の電流が流れることとなる。そして、周波数信号の論理「Ｈ」の期間は、感温ダイオード１００の感知する温度に応じて変化するものであるため、感知する温度によっては、論理「Ｈ」の期間が非常に長くなりえる。このため、上記装置では、フォトカプラの寿命を十分に長くすることができるとは考えられない。特に、車両用システムでは、長時間の使用を前提に設計することが要求されるため、車両用システムに搭載されるフォトカプラにあっては、１次側を流れる電流を低減することが強く望まれる。このため、上記装置では、フォトカプラの寿命が要求に沿わなくなるおそれがある。
【０００５】
本発明は、上記課題を解決するためになされたものであり、その目的は、高圧システム及び低圧システムのいずれか一方のシステムに備えられて且つ所定の物理量を感知する物理量感知手段の出力信号をフォトカプラを介して他方のシステムに出力するものにあって、フォトカプラの寿命を好適に延ばすことのできる信号伝播装置を提供することにある。
【課題を解決するための手段】
【０００６】
以下、上記課題を解決するための手段、及びその作用効果について記載する。
【０００７】
請求項１記載の発明は、高圧システム及び低圧システムのいずれか一方のシステムに備えられて且つ所定の物理量を感知する物理量感知手段の出力信号を、フォトカプラを介して他方のシステムに出力する信号伝播装置において、前記物理量感知手段の出力信号に応じて、前記フォトカプラのフォトダイオードに電流を流すことで前記フォトカプラをオン状態とした後、その電流量を漸減させつつ前記フォトカプラをオフ状態へと移行させるフォトカプラ駆動手段を備えることを特徴とする。
【０００８】
上記発明では、フォトダイオードを流れる電流量を漸減させつつフォトカプラをオフ状態へと移行させるため、フォトダイオードに定電流を流しつつこれをオン状態とする場合と比較して、オン状態である期間にフォトダイオードを流れる電流量を低減することができる。このため、フォトカプラの寿命を好適に延ばすことができる。
【０００９】
請求項２記載の発明は、請求項１記載の発明において、前記フォトカプラ駆動手段は、キャパシタと、前記物理量感知手段の出力端子及び前記キャパシタ間の導通及び遮断を制御する導通制御手段と、前記キャパシタからの放電電流に応じて前記フォトダイオードを流れる電流量を調節する電流量調節手段とを備えることを特徴とする。
【００１０】
上記発明では、導通制御手段によって物理量感知手段とキャパシタとの間が遮断される際のキャパシタの電圧は、物理量感知手段の出力信号に依存する。そして遮断後、キャパシタからの放電電流は漸減するが、この放電電流の漸減態様は遮断時のキャパシタの電圧に依存する。このため、フォトダイオードを流れる電流量と放電電流とを対応付けることで、フォトダイオードを流れる電流量を、物理量感知手段の出力信号に応じたかたちで漸減させることが可能となる。
【００１１】
請求項３記載の発明は、請求項２記載の発明において、前記電流量調節手段は、電流制御型のスイッチング素子を備えて構成されてなることを特徴とする。
【００１２】
電流制御型のスイッチング素子は、導通制御端子の電流量に応じて、入出力端子間を流れる電流が変化する。上記発明では、この点に鑑み、電流制御型のスイッチング素子を利用することで、放電電流を利用してフォトダイオードに流れる電流量を漸減させることが容易となる。
【００１３】
請求項４記載の発明は、請求項２又は３記載の発明において、前記電流量調節手段は、前記キャパシタからの放電電流をベース電流とするバイポーラトランジスタを備えて構成されてなることを特徴とする。
【００１４】
上記発明では、バイポーラトランジスタのベースを流れる電流を漸減させることができるため、バイポーラトランジスタの入出力端子間を流れる電流量を漸減させることができる。このため、電流量調節手段を簡易且つ適切に構成することができる。
【００１５】
請求項５記載の発明は、請求項２〜４のいずれか１項に記載の発明において、前記電流量調節手段は、前記キャパシタにベース端子が接続されて且つエミッタ端子が接地される第１のバイポーラトランジスタと、該第１のバイポーラトランジスタの入力端子がベースと接続された第２のバイポーラトランジスタとを備え、前記第２のバイポーラトランジスタは、その入出力端子を介して電源と前記フォトダイオードとを接続するものであることを特徴とする。
【００１６】
上記発明では、第１のバイポーラトランジスタのベース電流が、コンデンサの放電電流となるため、コンデンサの放電電流の漸減に伴って第１のバイポーラトランジスタのコレクタ電流が漸減する。そして、このコレクタ電流が、第２のバイポーラトランジスタのベース電流となるため、上記コレクタ電流の漸減に伴って、第２のバイポーラトランジスタのコレクタ電流が漸減する。換言すれば、電源からフォトダイオードへと流れる電流が漸減する。
【００１７】
請求項６記載の発明は、請求項１〜５のいずれか１項に記載の発明において、前記キャパシタ及び前記フォトカプラ間には、前記キャパシタに並列に、抵抗体が接続されてなることを特徴とする。
【００１８】
上記発明によれば、キャパシタに並列接続された抵抗体によって、キャパシタの放電電流量を調節することができる。このため、フォトダイオードを流れる電流量やフォトカプラがオン状態となる期間を簡易に調節することができる。
【００１９】
請求項７記載の発明は、請求項１〜６のいずれか１項に記載の発明において、前記他方のシステムには、前記物理量感知手段の出力信号を電圧として取得するキャパシタと、該キャパシタ及び電源間を接続する電流制御型のスイッチング素子とが設けられており、前記フォトカプラのフォトトランジスタの入出力端子を介して、前記他方のシステムのスイッチング素子の導通制御端子が接地されてなることを特徴とする。
【００２０】
上記発明では、フォトカプラがオン状態である間、フォトカプラを介して、他方のシステムのスイッチング素子の導通制御端子から接地へと電流が流れ、これによりこのスイッチング素子がオン状態となる。このため、電源からの電流によってキャパシタが充電される。そして、この充電に伴うキャパシタの電圧上昇量は、フォトカプラのオン時間に依存する。このため、キャパシタの電圧上昇量を、物理量感知手段の出力信号に応じた値とすることができる。
【００２１】
請求項８記載の発明は、請求項７記載の発明において、前記他方のシステムのキャパシタを、アナログ／ディジタル変換手段及び放電用抵抗体のいずれと接続するかを切り替える切替手段を更に備えることを特徴とする。
【００２２】
上記発明によれば、アナログ／ディジタル変換手段によって、キャパシタの電圧値をディジタル信号として扱うことができる。また、キャパシタを放電用抵抗体と接続することで、キャパシタを迅速に放電させることもできる。
【００２３】
請求項９記載の発明は、請求項１〜８のいずれか１項に記載の発明において、前記高圧システムは、車載回転機と接続される電力変換回路を備えて構成されており、前記物理量感知手段は、前記電力変換回路の備えるスイッチング素子近傍の温度を感知する手段であることを特徴とする。
【発明を実施するための最良の形態】
【００２４】
以下、本発明にかかる電子制御装置をハイブリッド車の制御システム内の電子制御装置に適用した一実施の形態について、図面を参照しつつ説明する。
【００２５】
図１に、本実施形態にかかる制御システムの全体構成を示す。
【００２６】
図示されるように、モータジェネレータ１０の３つの相（Ｕ相、Ｖ相、Ｗ相）には、インバータ１２が接続されている。このインバータ１２は、３相インバータであり、高圧バッテリ１４の電圧をモータジェネレータ１０の３つの相に適宜印加する。詳しくは、インバータ１２は、３つの相のそれぞれと高圧バッテリ１４の正極側又は負極側とを導通させるべく、スイッチング素子ＳＷ１、ＳＷ２とスイッチング素子ＳＷ３，ＳＷ４とスイッチング素子ＳＷ５，ＳＷ６との並列接続体を備えて構成されている。そして、スイッチング素子ＳＷ１及びスイッチング素子ＳＷ２を直列接続する接続点がモータジェネレータ１０のＵ相と接続されている。また、スイッチング素子ＳＷ３及びスイッチング素子ＳＷ４を直列接続する接続点がモータジェネレータ１０のＶ相と接続されている。更に、スイッチング素子ＳＷ５及びスイッチング素子ＳＷ６を直列接続する接続点がモータジェネレータ１０のＷ相と接続されている。ちなみに、これらスイッチング素子ＳＷ１〜ＳＷ６は、本実施形態では、絶縁ゲートバイポーラトランジスタ（ＩＧＢＴ）によって構成されている。また、インバータ１２は、各スイッチング素子ＳＷ１〜ＳＷ６に逆並列に接続されたフライホイールダイオードＤ１〜Ｄ６を備えている。
【００２７】
更に、インバータ１２には、インバータ１２のスイッチング素子ＳＷ１〜ＳＷ６近傍の温度を感知する感温ダイオードＤＳが設けられている。
【００２８】
上記スイッチング素子ＳＷ１〜ＳＷ６は、インターフェース１６を介して、低圧バッテリ１８を電力源とする電子制御装置（ＥＣＵ２０）により操作される。この際、ＥＣＵ２０では、インターフェース１６内の出力回路３０、フォトカプラＰＣ，及び入力回路４０を介して感温ダイオードＤＳの感知する温度を取り込み、同温度を上記操作に反映させる。
【００２９】
図２に、上記出力回路３０及び入力回路４０の回路構成を示す。
【００３０】
図示されるように、出力回路３０及び入力回路４０は、フォトカプラＰＣによって互いに絶縁されている。特に、フォトカプラＰＣのフォトダイオードｐｄのカソード側は高圧システム側のグランドライン３２と接続されており(接地されており)、アノード側は、ＰＮＰ型バイポーラトランジスタ（スイッチング素子３３）のエミッタ及びコレクタを介して高圧システム側の電源３１と接続されている。スイッチング素子３３のベースは、ＮＰＮ型バイポーラトランジスタ（スイッチング素子３４）のコレクタ及びエミッタ並びに抵抗体３５を介してグランドライン３２と接続されている（接地されている）。
【００３１】
一方、感温ダイオードＤＳには、これと並列に、コンデンサ３６及び抵抗体３７が接続されている。そして、コンデンサ３６のうちの高電位となる端子側は、抵抗体３８を介してスイッチング素子３４のベースに接続されている。また、コンデンサ３６の高電位となる端子側と感温ダイオードＤＳのアノード側との間には、スイッチング素子３９が接続されている。
【００３２】
一方、上記フォトカプラＰＣのフォトトランジスタｐｔのエミッタは、低圧システム側のグランドライン４２と接続されており（接地されており）、フォトトランジスタｐｔのコレクタは、ＰＮＰ型バイポーラトランジスタ（スイッチング素子４３）のベースと接続されている。このスイッチング素子４３は、そのエミッタ及びコレクタを介して、電源４１と、抵抗体４４及びコンデンサ４５とを接続しており、コンデンサ４５の他方の端子は、グランドライン４２と接続されている。また、コンデンサ４５の高電位となる端子側は、切替部４６を介してＥＣＵ２０のアナログ／ディジタル変換器（Ａ／Ｄ変換器２１）に接続可能となっている。更に、コンデンサ４５は、切替部４６を介して放電用の抵抗体４７に並列接続されている。
【００３３】
図３に、本実施形態にかかる感温ダイオードＤＳの出力信号の伝播処理を示す。詳しくは、図３（ａ）に、スイッチング素子３９の状態の推移を示し、図３（ｂ）に、コンデンサ３６の電圧の推移を示し、図３（ｃ）に、フォトダイオードｐｄの電流の推移を示し、図３（ｄ）に、コンデンサ４５の電圧の推移を示し、図３（ｅ）に、切替部４６の状態の推移を示す。
【００３４】
図示されるように、スイッチング素子３９は、所定の周期Ｔにて極短い時間（ｔ２−ｔ１）の間だけオン状態とされる。ここで時刻ｔ１にスイッチング素子３９がオン状態とされると、コンデンサ３６が感温ダイオードＤＳと導通状態となるために、コンデンサ３６の電圧が感温ダイオードＤＳの出力電圧程度まで上昇する。これにより、先の図２に示した抵抗体３８を介してスイッチング素子３４のベースに電流が流れるために、スイッチング素子３４がオン状態となる。そして、これにより、スイッチング素子３３のベースからスイッチング素子３４のコレクタ及びエミッタ並びに抵抗体３５を介してグランドライン３２に電流が流れる。これにより、スイッチング素子３３がオン状態となり、電源３１からスイッチング素子３３のエミッタ及びコレクタを介してフォトダイオードｐｄに電流が流れることで、フォトカプラＰＣがオン状態となる。
【００３５】
これにより、入力回路４０側では、スイッチング素子４３のベースから、フォトトランジスタｐｔを介してグランドライン４２へと電流が流れるために、スイッチング素子４３がオンとなる。これにより、電源４１から、スイッチング素子４３のエミッタ及びコレクタ並びに抵抗体４４を介してコンデンサ４５に電流が流れ、コンデンサ４５が充電される。
【００３６】
その後、先の図３に示す時刻ｔ２にスイッチング素子３９がオフ状態とされると、抵抗体３７，３８を介してコンデンサ３６が放電されることにより、コンデンサ３６の電圧が徐々に低下する。このため、抵抗体３８を介してスイッチング素子３４のベースに流れる電流量も漸減する。これにより、スイッチング素子３３のベースからスイッチング素子３４へと流れる電流も漸減することから、スイッチング素子３３のエミッタ及びコレクタ間を流れる電流量も漸減する。これにより、図３（ｃ）に示すように、フォトダイオードｐｄを流れる電流も漸減する。
【００３７】
そして、コンデンサ３６の電圧が、スイッチング素子３４をオン状態とするためのエミッタ及びベース間の閾値電圧以下となる時刻ｔ３において、スイッチング素子３４がオフすることで、スイッチング素子３３のベース電流がゼロとなる。これにより、スイッチング素子３３がオフすることで、フォトダイオードｐｄを流れる電流がゼロとなり、フォトカプラＰＣがオフとなる。
【００３８】
これにより、スイッチング素子４３がオフ状態となるために、コンデンサ４５の充電が停止される。このときの電圧は、感温ダイオードＤＳの出力電圧に応じた値となっている。ＥＣＵ２０では、Ａ／Ｄ変換器２１から出力される値が定常値となることで、この値を感温ダイオードＤＳの感知する温度を示す値として認識する。なお、Ａ／Ｄ変換器２１の出力信号を逐次モニタすることで、コンデンサ４５の電圧が定常値となったか否かを判断する代わりに、感温ダイオードＤＳの最大出力電圧においてもスイッチング素子４３がオフすると想定される最長時間の経過時に、Ａ／Ｄ変換器２１による処理を１回のみ行うようにしてもよい。
【００３９】
こうしてＥＣＵ２０が感温ダイオードＤＳの感知した温度を認識すると、時刻ｔ４〜ｔ５にわたって切替部４６を操作することで、コンデンサ４５を抵抗体４７と導通させる。これにより、コンデンサ４５の電荷を放電することで、コンデンサ４５の電圧を初期化する。
【００４０】
このように、本実施形態では、スイッチング素子３９を周期的にオン状態とする際にコンデンサ３６に充電される電荷量が、感温ダイオードＤＳの出力電圧に応じて変化することを利用することで、感温ダイオードＤＳの出力信号を低圧システムへ伝播させることができる。すなわち、感温ダイオードＤＳの出力電圧に応じたコンデンサ３６の充電電圧によって、フォトカプラＰＣをオン状態とする時間が調節され、ひいては、低圧システムのコンデンサ４５の電圧値が調節される。ここで、感温ダイオードＤＳの出力電圧とコンデンサ３６の充電電圧との間には１対１対応の関係があるため、コンデンサ３６の充電電圧とフォトカプラＰＣのオン時間との間にも１対１対応の関係があり、フォトカプラＰＣのオン時間とコンデンサ４５の充電電圧との間にも１対１対応の関係がある。したがって、高圧側の感温ダイオードＤＳの出力電圧と低圧側のコンデンサ４５の充電電圧との間に、１対１対応の関係があることとなる。
【００４１】
ただし、感温ダイオードＤＳの出力電圧と、コンデンサ４５の充電電圧との１対１対応の関係自体は、抵抗体３７，３８，３５，４４の抵抗値やコンデンサ３６，４５の静電容量によって調節可能である。ここで、コンデンサ３６の放電電流の漸減速度は、主に抵抗体３７によって調節可能である。また、スイッチング素子３４のベース電流は、主に抵抗体３８によって調節可能である。更に、スイッチング素子３４のオン状態及びオフ状態を定めるエミッタ及びベース間の電圧は、主に抵抗体３５によって調節可能である。更に、コンデンサ４５の充電電圧は、抵抗体４４によって調節可能である。このため、これら抵抗体３５，３７，３８，４４の抵抗値や、コンデンサ３６，４５の静電容量によって、フォトカプラＰＣのオン時間や、コンデンサ４５の充電電圧の取り得る範囲を調節することができる。
【００４２】
また、上記回路によれば、先の図３（ｃ）に示したように、フォトダイオードｐｄを流れる電流が漸減するために、先の図４に示した従来例と比較してフォトカプラＰＣがオン状態となる際にフォトカプラに流れる電流の総量（電流の時間積分値）を低減することができる。このため、フォトカプラＰＣがオン状態である間、フォトカプラＰＣに一定の電流を流す場合と比較して、フォトカプラＰＣの寿命を延ばすことができる。
【００４３】
以上詳述した本実施形態によれば、以下の効果が得られるようになる。
【００４４】
（１）フォトダイオードｐｄに電流を流すことでフォトカプラＰＣをオン状態とした後、電流量を漸減させつつフォトカプラＰＣをオフ状態へと移行させた。これにより、フォトダイオードｐｄに定電流を流しつつこれをオン状態とする場合と比較して、オン状態である期間にフォトダイオードｐｄを流れる電流量を低減することができる。このため、フォトカプラＰＣの寿命を好適に延ばすことができる。
【００４５】
（２）コンデンサ３６からの放電電流に応じてフォトダイオードｐｄを流れる電流量を調節した。このように、フォトダイオードｐｄを流れる電流量と放電電流とを対応付けることで、フォトダイオードｐｄを流れる電流量を漸減させることが可能となる。
【００４６】
（３）電流制御型のスイッチング素子３４，３３（バイポーラトランジスタ）を用いてフォトダイオードｐｄの電流を調節した。これにより、コンデンサ３６の放電電流を利用してフォトダイオードｐｄに流れる電流量を漸減させることが容易となる。
【００４７】
（４）抵抗体３５を備えることで、フォトダイオードｐｄを流れる電流量やフォトカプラＰＣがオン状態となる期間を簡易に調節することができる。
【００４８】
（５）感温ダイオードＤＳの出力信号を電圧として取得するコンデンサ４５を備え、コンデンサ４５及び電源４１間に接続されるスイッチング素子４３のベースをフォトカプラＰＣに接続した。これにより、コンデンサ４５の充電電圧をフォトカプラＰＣのオン時間によって調節可能となり、ひいては、コンデンサ４５の充電電圧を感温ダイオードＤＳの出力信号に応じた値とすることができる。
【００４９】
（６）コンデンサ４５を、Ａ／Ｄ変換器２１及び放電用の抵抗体４７のいずれと接続するかを切り替える切替部４６を備えた。これにより、ＥＣＵ２０内でコンデンサ４５の電圧値をディジタル信号として扱うことができる。また、抵抗体４７を用いてコンデンサ４５を迅速に放電させることができる。
【００５０】
（その他の実施形態）
なお、上記各実施形態は、以下のように変更して実施してもよい。
【００５１】
・図２において、スイッチング素子３４のベース及びエミッタ間の電圧が、エミッタ及びグランドライン３２間の配線抵抗等によって適切な値となっているなら、抵抗体３５を備えなくてもよい。
【００５２】
・スイッチング素子３４のベースに流れる電流量を、コンデンサ３６や抵抗体３７によって適切な値に調節可能なら、抵抗体３８を備えなくてもよい。
【００５３】
・コンデンサ３６の容量や抵抗体３５，３８によって、スイッチング素子３４をオンとする時間を所望に調節することができるなら、抵抗体３７を備えなくてもよい。
【００５４】
・スイッチング素子３４を設けず且つスイッチング素子３３をＮＰＮ型バイポーラトランジスタとし、コンデンサ３６の放電電流がスイッチング素子３３のベースに流れるようにしてもよい。
【００５５】
・スイッチング素子３３，３４をバイポーラトランジスタのような電流制御型のスイッチング素子とする代わりに、ＭＯＳトランジスタのような電圧制御型のスイッチング素子としてもよい。
【００５６】
・フォトダイオードを流れる電流量を漸減させつつフォトカプラをオフ状態へと移行させるフォトカプラ駆動手段としては、キャパシタの放電電流が漸減すること利用するものに限らない。例えば、電流制御回路を備えて、感温ダイオードの出力信号に応じてフォトカプラのオン時間を設定するに際し、そのオン期間においてフォトダイオードを流れる電流を漸減させる構成であってもよい。
【００５７】
・入力回路４０の構成としては、先の図２に例示したものに限らない。例えばフォトトランジスタｐｔのコレクタを電源と接続して且つ、フォトトランジスタｐｔのエミッタ及び接地間に抵抗体を接続する一方、電源とコンデンサ４５とを導通及び遮断するＭＯＳトランジスタとを備え、ＭＯＳトランジスタのゲートに上記抵抗体の電圧降下量の電圧を印加するようにしてもよい。また、例えば切替部４６を備える代わりに、コンデンサ４５の一端をＡ／Ｄ変換器２１と直結し、コンデンサ４５に並列に抵抗体４７を接続してもよい。
【００５８】
・物理量感知手段としては、車載電力変換回路としてのインバータ１２のスイッチング素子ＳＷ１〜ＳＷ６の近傍の温度を感知する感温ダイオードＤＳに限らない。例えば高圧バッテリ１４の電圧を降圧して低圧バッテリ１８に出力するＤＣＤＣコンバータのスイッチング素子近傍の温度を感知する感温ダイオードであってもよい。更に、例えば高圧バッテリ１４の電圧を感知する手段であってもよい。こうした場合であれ、フォトカプラが車両システム内に設けられたものであるなら、フォトカプラの使用時間が長時間化することが予想されるため、フォトカプラの寿命を延ばすべく、これに流れる電流量を低減することが特に望まれる。このため、車両システム内のフォトカプラを備える信号伝播装置にあっては、本発明の利用価値が特に高い。
【図面の簡単な説明】
【００５９】
【図１】一実施形態にかかる制御システムの全体構成を示す図。
【図２】同実施形態にかかる感温ダイオードの出力信号の伝播装置の回路構成を示す回路図。
【図３】同伝播装置による信号の伝播態様を示すタイムチャート。
【図４】従来の信号伝播装置の構成を示す図。
【符号の説明】
【００６０】
１０…モータジェネレータ、１２…インバータ、１４…高圧バッテリ、１８…低圧バッテリ、２１…Ａ／Ｄ変換器、３６…コンデンサ、３７…抵抗体、４５…コンデンサ、４６…切替部、ＰＣ…フォトカプラ。
【図１】
2009048433.tif 000003
【図２】
2009048433.tif 000004
【図３】
2009048433.tif 000005
【図４】
2009048433.tif 000006